(57)【要約】      （修正有）【課題】里山を含む広域内の鹿を効率良く捕獲する野生鹿の捕獲方法を提供する。【解決手段】捕獲設備１０の全体構成を示す鹿の捕獲設備において、野生鹿の存在を確認してその存在域Ａを含む畑、山野などの半径２キロの広域劃定区域１内に、捕獲罠２３を取り付けた捕獲域２を設け、広域劃定区域１に設けた音声発生装置１４とともに、忌避剤を散布するドローンを域内に飛行させて捕獲域２に追い込む。【選択図】図１
2018099044.tif 000002
【特許請求の範囲】
【請求項１】
捕獲すべき鹿を特定の広域に閉じ込めておく広域の劃定区域と、この広域劃定区域の一部に鹿を追い込み捕獲する捕獲域からなる捕獲装置における野生鹿の捕獲方法であって、
前記劃定区域内の鹿に前記捕獲域に向かって音声を発する音声発生装置によって、前記広域劃定区域内の鹿を捕獲域に追い込む野生鹿の捕獲方法。
【請求項２】
前記劃定区域に存在する野生鹿の位置から捕獲域までの追い込み時、または、追い込み後を忌避剤の散布と並行して行う請求項１に記載の野生鹿の捕獲方法。
【請求項３】
前記音声発生装置劃定区域内の鹿に前記捕獲域に向かっての発生音声が、前記広域劃定区域の境界域に設けた音声発生装置から発せられる音声である請求項１に記載の野生鹿の捕獲方法。
【請求項４】
前記音声発生装置劃定区域内の鹿に前記捕獲域に向かっての発生音声が、前記広域の劃定区域内を飛行するドローンから発せられる音声である請求項１に記載の野生鹿の捕獲方法。
【請求項５】
捕獲すべき鹿が存在する広域に形成した広域劃定区域と、この広域劃定区域の一部に鹿を追い込み捕獲・処分する捕獲域からなる野生鹿の捕獲装置であって、
前記広域劃定区域に、前記捕獲域に指向する音声発生手段を設けた野生鹿捕獲設備。
【請求項６】
前記捕獲域に指向する音声発生手段とともに、前記広域劃定区域から捕獲域に、位置信号と高度信号によるコマンド信号を付与されて飛行するドローンが付加される請求項５に記載の野生鹿捕獲設備。
【発明の詳細な説明】
【技術分野】
【０００１】
この発明は、比較的広い土地内に侵入した野生鹿の捕獲し、飼育する方法および捕獲方法を実施するための捕獲設備に関する。
【背景技術】
【０００２】
近年、鹿、猪などの害獣が増えるとともに野菜畑、果実園、植林地の被害が増大し捕獲の必要性が増している。
【０００３】
とくに野生の鹿の場合、その行動範囲が他の野生動物と比べ格段に広く、その動作が迅速であり、その上、警戒心が強いために捕獲し難いという問題がある。
【０００４】
この問題を克服すべく鹿の捕獲方法について、多くの手段が特許等の出願に開示されている。
【０００５】
例えば、特許文献１には、パイプを連結して多角形に形成した鹿の侵入上部枠に、下部枠体に落下する、開閉自在の扉部材を設け、上下枠に張設した囲い網に鹿の侵入を検知する鹿検知装置を設け、鹿検知装置の検知作動によって、扉部材を閉じさせる扉部材開閉装置を設けた、不便な山里に設置可能であり、組み立て分解、資材の運搬が容易であり、安全確実かつ容易に鹿を捕獲することができる比較的小規模で安価な鹿の捕獲装置が開示されている。
【０００６】
また、特許文献２には、野生のシカに電気ショックを与えて捕獲する電気柵を広域に囲って付設し、この電気柵内に野生シカが一旦入ったならば出られない開閉扉を取付け、これによって、山林や里山の広域内の鹿を集めるようにした捕獲装置が開示されている。
【０００７】
さらには、特許文献３には、特定区域スペースを囲う捕獲用金網柵の所定位置にゲートを設け、捕獲用金網柵の全長に所定高さにビニールシート目隠し部を配設した捕獲柵本体部に間隔離間して設けた捕獲装置であって、捕獲装置を本体部の両壁部によって連接し、この両壁部にエゾ鹿を捕獲柵本体部から誘導するシュート部とを備えたエゾ鹿捕獲設備において、侵入防止柵の侵入防止金網柵の一部を用いることによって、比較的広域の野生鹿の捕獲装置の建設コスト削減及び工期短縮を図ったものが開示されている。
【０００８】
また、特許文献４および特許文献５には、音波を利用して害獣を威嚇して駆除する装置が開示されている。
【０００９】
さらには、係る威嚇手段としての遠隔操縦の小型飛行物体（ドローン）を用いることも特許文献６等に開示されている。
【先行技術文献】
【特許文献】
【００１０】
【特許文献１】特開２０１０-２０７２１２
【特許文献２】特開２０１１-１６７１０５
【特許文献３】特開２０１２−２４９５６６
【特許文献４】特開２０１４−５２６２７４
【特許文献５】特開２０１５−１１２０９８
【特許文献６】実用新案登録第３１９９３０８号公報
【非特許文献】
【００１１】
【非特許文献１】「ドローンの本」、（一社）日本ＵＡＳ産業振興協議会編、日刊工業新聞社
【発明の概要】
【発明が解決しようとする課題】
【００１２】
ところが、これらの従来の捕獲装置・設備は、捕獲の対象となる野生の鹿、とくに、ニホン鹿は体形が小柄な上に動作が機敏で里山等の広域を走り回り、しかも、農作物や樹木に被害を与える雄鹿は、行動範囲が広く、単独で行動するために捕獲が困難であり、以下のような問題がある。
【００１３】
また、捕獲のために鹿を追い込むために広く用いられている網枠も、鹿の行動範囲である地形が複雑な里山での広域に形成せねばならず、その構築のために相当の費用を要し、また、広域の網枠内に存在する鹿を捕獲するために特定域に追い込むための有効な手段は見いだされていない。
【００１４】
さらには、鹿がいる所定の区域を区画網枠によって他の区域から分離し、その分離区画内にいる鹿を特定区域に追い込むための有効な手段がない。
【００１５】
外枠を形成する枠材も比較的細やか細目の網材を使用せねばならず、捕獲に際して、山里、田畑、森林のような多彩な形態の土地をカバーしての網枠の形成も高価にならざるを得ない。
【００１６】
この発明は、上記のような従来の問題に鑑み、このように、イノシシなどの他の野生動物とは特性が異なる鹿を、比較的簡便に効率良く捕獲できる提供する手段を提供することにある。
【課題を解決するための手段】
【００１７】
この発明は、人間そのもの存在を、足音、話し声等の他、人間が持ち運ぶ携帯電話、ラジオ等のからの音声によって逃走する習性を利用して、音声発生手段からの音声、音楽、雑音を、区劃内の特定カ所に設けた捕獲罠の方向に向けて、発することによって鹿を捕獲罠に追い込むものである。
【００１８】
すなわち、この発明は、捕獲すべき鹿が存在する広域に形成した劃定区域と、この広域劃定区域の一部に鹿を追い込み捕獲・処分する捕獲域からなる捕獲構造体による野生鹿の捕獲方法であって、前記劃定区域内の鹿に前記捕獲域に向かって音声を発し、捕獲域に設けた捕獲罠に追い込み捕獲方法とその方法を実施するための好適な設備を提供するもので、広域の劃定区域内の鹿に前記捕獲域に向かって音声の発声を、劃定区域に設けた音声発生装置からの音声、または、ドローンによる音と忌避剤の散布、さらにはそれらの手段の組み合わせによるものである。
【発明の効果】
【００１９】
本発明の鹿の捕獲装置は、少人数によっても、短時間で簡単に準備でき、鹿の捕獲作業も簡単にできる。
【００２０】
里山のような複雑な地形であっても、効率よく鹿を自然な状態で捕獲できる。
【００２１】
野生鹿が、広域内を徘徊している状態であっても、あるいは逃走状態であっても捕獲作業に入ることができる。
【００２２】
劃定広域内の鹿の位置を検知し、その検知位置周辺の音声発生装置を作動させて、その音響により捕獲区域に追い込むので鹿を傷めることがない。
【００２３】
広域劃定区域に設けられた音声発生装置も、また、ドローンも夜間操作が可能であるので、夜間でも鹿の追い込み操作が可能となる。
【００２４】
本発明の鹿の捕獲装置は、少人数によっても、短時間で簡単に準備でき、鹿の捕獲作業も簡単にできる。
【００２５】
里山のような複雑な地形であっても、効率よく鹿を自然な状態で捕獲できる。
【００２６】
野生鹿が、広域内を徘徊している状態であっても、あるいは逃走状態であっても捕獲作業に入ることができる。
【００２７】
劃定広域内の鹿の位置を検知し、その検知位置周辺の音声発生装置を作動させて、その音響により捕獲区域に追い込むので鹿を傷めることがない。
【００２８】
広域劃定区域に設けられた音声発生装置も、また、ドローンも夜間操作が可能であるので、夜間でも鹿の追い込み操作が可能となる。
【図面の簡単な説明】
【００２９】
【図１】本発明に係る捕獲域を有する劃定区域をネット構造体によって形成した例を示す。
【図２】ネット構造体の例を示す。
【図３】捕獲域に取り付けられた捕獲装置の例を示す。
【図４】鹿の追い込み操作に使用するドローンを示す。
【図５】鹿の追い込み操作に使用するドローンによる追い込みルートの例を示す。
【発明を実施するための形態】
【００３０】
この発明において、捕獲方法を実施するために使用する設備は、劃定区域とは、捕獲対象となる野生の鹿が存在する畑、森林、果樹園等の他に、里山等の比較的広範囲の区域において野生鹿を閉じ込めるための区域を意味し、次の捕獲のための作業の前提となるものである。
【００３１】
この発明の実施において、広域の劃定区域の設定は、捕獲すべき鹿が存在する区域を特定するもので、赤外線，レーダーその他の監視手段、その他の被害情報によって得られた存在位置と鹿が存在する区域を、捕獲作業に便利のために特定するために、ほぼ半径が、里山を含めた区域をドローンが一回の飛行をカバーして劃定区域ないに存在する野生鹿を捕獲域に追い込むのに飛行できる範囲の通常半径が、ほぼ２キロに近い区域を意味する。
【００３２】
そして、その劃定区域を特定する手段としては、以下の手法を用いることがでる。
【００３３】
その第一は、小型の音声発生装置を取り付けた複数本の打ち杭を配列し、それらの杭の間に、鹿が飛び越えることができない程度の高さに網張りした連続した網構造体によって形成することである。捕獲すべき鹿が存在する区域を劃定するための網構造体は、それに取り付けられた音声発生手段から発する音声を嫌って、鹿が避けて走るために衝突することはないので、通常の網構造鯛のように頑丈である必要はない。  倒れない程度に打ち込まれた木製の杭に、亀甲穴を有する軽量の巻き網材を自然に外れないように取り付けて張架して網構造体を連続せしめることによって、比較的広域を劃定するものである。
【００３４】
そしてその第二は、音声発生時期、大きさ、指向方向、音域等を遠隔制御できる音声発生装置を特定区域に沿って配置し、それらから発生する音声のみによって野生鹿の逃走を防止する境界を設定することである。音声発生手段として遠隔装置操作されるマイク、また、スマートフォンも利用できる。
【００３５】
さらには、前記捕獲域に指向する音声発生手段とともに、通称、ドローンに鹿が存在する区域を中心にして前記広域劃定区域から捕獲域に、位置信号と高度信号によるコマンド信号を付与されて飛行するドローンの設定飛行区域等を組み合わせた区域とすることができる。
【００３６】
また、前記劃定広域内の鹿を音声により追い込むための捕獲域は、劃定広域の内面に、入り口が扇状の導入路の先端部に配置された捕獲檻とから形成されている。この捕獲檻としては、任意の構造のものが使用できるが、例えば、特許文献５，６等に開示されているイノシシ用の捕獲檻の天井を高くした構造のものを使用できる。
【００３７】
この発明において、広域劃定域内の鹿を捕獲域に追い込むために使用できるドローンとしては、前記非特許文献に記載のドローンの要素技術を有するもので、高低差のある広域劃定区域を指定通りに飛行でき、捕獲域に追い込んだ鹿が戻らないように、追い込んだルートに散布できる５キロ程度の忌避剤を搭載できる性能を有するものであればよい。
【００３８】
捕獲すべき鹿が存在する区域を劃定する手段の一つとしての網構造体は、それに取り付けられた音声発生手段から発する音声を嫌って、鹿が避けて走るために衝突することはないので、通常の網構造体のように頑丈である必要はない。  倒れない程度に打ち込まれた木製の杭に、亀甲穴を有する軽量の巻き網材を自然に外れないように取り付けて張架して網構造体を連続せしめることによって、比較的広域を劃定したものである。この構造によって、少人数で、短時間内に相当の広範囲の区域を劃定できる。
【００３９】
また、前記劃定広域内の鹿を音声により追い込むための捕獲域は、劃定広域の内面に、入り口が扇状の導入路の先端部に配置された捕獲檻とから形成されている。この捕獲檻としては、任意の構造のものが使用できるが、例えば、特許文献５，６等に開示されているイノシシ用の捕獲檻の天井を高くした構造のものを使用できる。
【００４０】
この発明において、広域劃定域内の鹿を捕獲域に追い込むために使用できるドローンとしては、通常のドローンの要素技術を有するもので、高低差のある広域劃定区域を指定して制御飛行でき、捕獲域に追い込んだ鹿が戻らないように、追い込んだルートに散布できる５キロ程度の忌避剤を搭載できる性能を有するものであればよい。
【００４１】
このドローンの使用によって、広域内の鹿を捕獲域に効率良く追い込み、その後、追い込んだ鹿が後戻りしないように、追い込み経路に忌避剤を効率よく散布することができる。
【００４２】
鹿が最も敏感に反応する周波数は、通常の人の音声、あるいは、通常の野生動物が忌避する超音波の領域が利用できる。
【実施例】
【００４３】
添付の図１から図４は、この発明の設備の例を示し、広域劃定域１とこの広域劃定域の一部に捕獲域２を設けた捕獲設備１０の全体構成を図１に、広域劃定域１の一部を区劃するネット構造体１１を図２に、広域劃定域１の一部を構成する捕獲域２に取り付ける捕獲罠２３を図３に、この発明の実施に使用するドローン３を図４に、このドローン３の飛行経路の例を図５に示している。
【００４４】
捕獲設備１０の全体構成を示す図１において、１は、野生鹿の存在を確認してその存在域Ａを含む畑、山野などの半径２キロの広域劃定区域１を示す。この広域劃定区域１は、全域の上方からの形状は円形である必要はない。
【００４５】
また、その広域劃定域１は、図２に示すネット１２を杭１３の間に張架したネット構造体１１から形成しても良いが、ネット構造体を使用せずに、ネット構造体に設けたマイクのよう音声発生装置１４のみを配置しても、広域劃定域１内に鹿を閉じ込めておく機能を持たせることができる。
【００４６】
Ａ地域内の鹿を捕獲域２への追い込みための音声発生手段１４は、その音声の指向方向は、捕獲区域２への導入域２１の方向に指向している。
【００４７】
図１に示す捕獲域２の入り口２１周辺と入り口通路２２を、図２に示すネット構造体１１によって、比較的頑丈な構造とし、その先端に配置した捕獲罠２３を固定している。そして、他の森林や崖の部分を含めて、図２のネット構造体１１の杭１３に取り付けたマイク１４のみを配列して、広域劃定域１内に閉じ込めた鹿の逃走を防いでいる。
【００４８】
この捕獲域２の入り口２１周辺と入り口通路２２を形成するためのネット構造体１１は、図２示されるように、杭として、山里で間伐して得た廃材を一定間隔で地中に浅く打ち込み、５ｍ以下の高さとし、これらの杭の間に円形網穴の軽量ネットを、杭の下部分を明けて２ｍ高さ以上にネット１２を張った構造とすることができる。
【００４９】
図３は、図１に示す捕獲域２の入り口通路２２の先端には、高さ、巾ともに２ｍで長さを５ｍに調整し、その前後に昇降扉とした猪の捕獲罠２３を示す。そしてこの罠の内部先端には、人参その他の鹿の好物の餌を配置する。
【００５０】
図４は、図１に示すこの発明の設備において、広域劃定域１内を予め、遠隔操作機能に入力された高度、方向に基づき自動操縦され、また，ペリロード機能によって操作される機能を有するドローンを示すものであるが、この発明に実施に使用されるドローンには、遠隔操作によって、散布される商標名「鹿熊ｏｕｔ」剤を散布するための散布装置を取り付けている。
【００５１】
以下、図５に基づいて、図１に示す広域劃定域１内の鹿を追い立てる要領を示す。
【００５２】
先ず、広域劃定域１の捕獲域２の周辺を除いて配置された音声発生装置に入力して音声を捕獲域２に向かって音声を照射する。これによって、鹿Ａは捕獲域２向かって移動する。この時点でドローン３を広域劃定域１内に発射し、点線に示す方向に、ジグザクに飛行させる。これよって、鹿は捕獲域２の方向に追い詰められることになる。次いで、ドローンは、実線で示す鹿が追い詰められたルートを逆飛行して忌避剤を散布する。これによって、追い詰められた鹿は逆走することなく、捕獲罠２３に仕掛けられた餌に惹かれて罠内にとり込められることになる。
【００５３】
この際、広域劃定域１内に複数の鹿が存在する場合には、罠入りを逃れた鹿は捕獲罠の近辺で生息し、育成に供することもできる。
【符号の説明】
【００５４】
１  広域劃定域
２  捕獲域
３  ドローン
１０  捕獲設備
１１  ネット構造体
１２  ネット
１３  杭
１４  音声発生装置
２１  導入域
２２  入り口通路
２３  捕獲罠
【産業上の利用可能性】
【００５５】
この発明は、鹿のみならず他の野生動物の捕獲にも適用できる。
【図１】
2018099044.tif 000003
【図２】
2018099044.tif 000004
【図３】
2018099044.tif 000005
【図４】
2018099044.tif 000006
【図５】
2018099044.tif 000007